(57)【特許請求の範囲】
【請求項１】
原稿から読み込んだ画像情報を格納する画像メモリを有する画像記録装置において、
前記画像メモリに複数枚の一連の原稿の画像情報を格納する際、前記画像情報を、出力用紙のサイズに応じたメモリ領域に変倍して格納させるメモリ制御手段を具備し、
前記メモリ制御手段は、前記一連の原稿が第１のサイズの原稿と前記第１サイズよりも大きい第２のサイズの原稿を有す原稿の場合に、前記原稿毎に変倍率を制御すると共に、前記第２サイズの原稿の画像情報を前記第１のサイズに応じた原稿サイズに分割してレイアウトする原稿混載モードを実行するか否かを制御することを特徴とする画像記録装置。
【請求項２】
請求項１に記載の画像記録装置において、
さらに加えて、前記原稿を縮小または拡大する変倍手段を有し、前記原稿から読み込んだ画像情報を前記画像メモリに格納する際、原稿を縮小または拡大することを特徴とする画像記録装置。
【請求項３】
請求項２に記載の画像記録装置において、
前記変倍手段は前記原稿から読み込んだ画像情報を画像メモリに格納する際、各原稿を各原稿ごとに決定した変倍率で変倍して格納させることを特徴とする画像記録装置。
【請求項４】
請求項１に記載の画像記録装置において、
さらに加えて、前記原稿から読み込んだ画像情報を前記画像メモリに格納する際、画像を回転させて格納する回転手段を具備したことを特徴とする画像記録装置。
【請求項５】
請求項１に記載の画像記録装置において、
さらに加えて、前記画像メモリに格納された画像情報を出力する際、画像を回転させて出力する回転手段を具備したことを特徴とする画像記録装置。
【請求項６】
請求項１に記載の画像記録装置において、
さらに加えて、ユーザーが前記出力用紙を選択する出力用紙選択手段を具備したことを特徴とする画像記録装置。
【請求項７】
請求項１に記載の画像記録装置において、
前記原稿は原稿台上に載置され、光学撮像素子により画像情報が読み込まれることを特徴とする画像記録装置。
【請求項８】
複数頁分の一連の原稿画像を入力し、入力した原稿画像をシート上に記録する記録手段を有し、１枚のシートの同一面上に複数の原稿画像を配列記録することが可能な画像記録装置であって、
前記記録手段によるシートに対する画像の記録処理に先立ち、前記複数の原稿画像を配列記録すべきシートのサイズに応じた変倍処理を、前記１枚のシートの同一面上に配列記録すべき前記複数の画像の各画像毎に行う変倍手段と、
１枚のシートの同一面上に、縦向きで使用される種類の原稿の画像及び、横向きで使用される種類の原稿の画像とを含む複数の原稿画像を配列記録させることに応じて、縦向きで使用される種類の原稿の画像の変倍率と、横向きで使用される種類の原稿の画像の変倍率を夫々決定し、夫々の変倍率で夫々変倍処理された縦向きで使用される種類の原稿の画像及び横向きで使用される種類の原稿の画像を前記１枚のシートの同一面上に配列記録させるよう制御すると共に、前記一枚のシートの同一面上において前記縦向きで使用される種類の原稿及び前記横向きで使用される種類の原稿のうちの一方の種類の原稿の画像を他方の種類の原稿サイズに応じたサイズに分割する為のレイアウト処理を実行するか否かを制御する制御手段と、
を有することを特徴とする画像記録装置。
【請求項９】
複数頁分の一連の原稿画像を入力し、入力した原稿画像をシート上に記録する記録手段を有し、１枚のシートの同一面上に複数の原稿画像を配列記録することが可能な画像記録装置の制御方法であって、
前記記録手段によるシートに対する画像の記録処理に先立ち、前記複数の原稿画像を配列記録すべきシートのサイズに応じた変倍処理を、前記１枚のシートの同一面上に配列記録すべき前記複数の画像の各画像毎に行うステップと、
１枚のシートの同一面上に、縦向きで使用される種類の原稿の画像及び、横向きで使用される種類の原稿の画像とを含む複数の原稿画像を配列記録させることに応じて、縦向きで使用される種類の原稿の画像の変倍率と、横向きで使用される種類の原稿の画像の変倍率を夫々決定し、夫々の変倍率で夫々変倍処理された縦向きで使用される種類の原稿の画像及び横向きで使用される種類の原稿の画像を前記１枚のシートの同一面上に配列記録させるよう制御すると共に、前記一枚のシートの同一面上において前記縦向きで使用される種類の原稿及び前記横向きで使用される種類の原稿のうちの一方の種類の原稿の画像を他方の種類の原稿サイズに応じたサイズに分割する為のレイアウト処理を実行するか否かを制御するステップと、
を有することを特徴とする画像記録装置の制御方法。
【請求項１０】
原稿から読み込んだ画像情報を格納する画像メモリを有する画像記録装置の制御方法であって、
前記画像メモリに複数枚の一連の原稿の画像情報を格納する際、前記画像情報を、出力用紙のサイズに応じたメモリ領域に変倍して格納させるメモリ制御ステップを具備し、
前記メモリ制御ステップは、前記一連の原稿が第１のサイズの原稿と前記第１サイズよりも大きい第２のサイズの原稿を有す原稿の場合に、前記原稿毎に変倍率を制御すると共に、前記第２サイズの原稿の画像情報を前記第１のサイズに応じた原稿サイズに分割してレイアウトする原稿混載モードを実行するか否かを制御することを特徴とする画像記録装置の制御方法。
【発明の詳細な説明】
【０００１】
【発明の属する技術分野】
本発明は、複数枚の原稿の画像を１つのシート上に記録する画像記録装置及びその制御方法に関する。
【０００２】
【従来の技術】
従来から、同一サイズの複数枚の原稿の画像を画像メモリ上にレイアウトし、１枚のシート上にプリントするデジタル複写機が知られている。
しかしながら上記の複写機では、原稿サイズが異なる複数枚の原稿を画像メモリ上にレイアウトし、プリントすることは不可能であった。
また、原稿には、図５１（１）に示すような縦方向の原稿と、（２）に示すような横方向の原稿があり、これらの原稿画像を１枚のシート上にプリントする場合と同様のレイアウトで（２）をプリントすると原稿の配置の順に不具合が生じる。
【０００３】
【発明が解決しようとする課題】
よって本発明は、上述の問題を解決した画像記録装置及びその制御方法を提供することにある。
また、本発明の目的は、原稿サイズの異なる複数枚の原稿を画像メモリ上に自動的にレイアウトできるよう構成した画像記録装置及びその制御方法を提供することにある。
さらに、本発明の他の目的および特徴は以下の明細書および図面から明らかになるであろう。
【０００４】
【課題を解決するための手段】
かかる目的を達成するために、請求項１に係る本発明は、原稿から読み込んだ画像情報を格納する画像メモリを有する画像記録装置において、前記画像メモリに複数枚の一連の原稿の画像情報を格納する際、前記画像情報を、出力用紙のサイズに応じたメモリ領域に変倍して格納させるメモリ制御手段を具備し、前記メモリ制御手段は、前記一連の原稿が第１のサイズの原稿と前記第１サイズよりも大きい第２のサイズの原稿を有す原稿の場合に、前記原稿毎に変倍率を制御すると共に、前記第２サイズの原稿の画像情報を前記第１のサイズに応じた原稿サイズに分割してレイアウトする原稿混載モードを実行するか否かを制御する。
【０００５】
請求項２に係る本発明は、請求項１に記載の画像記録装置において、さらに加えて、前記原稿を縮小または拡大する変倍手段を有し、前記原稿から読み込んだ画像情報を前記画像メモリに格納する際、原稿を縮小または拡大する。
【０００６】
請求項３に係る本発明は、請求項２に記載の画像記録装置において、前記変倍手段は前記原稿から読み込んだ画像情報を画像メモリに格納する際、各原稿を各原稿ごとに決定した変倍率で変倍して格納させる。
【０００７】
請求項４に係る本発明は、請求項１に記載の画像記録装置において、さらに加えて、前記原稿から読み込んだ画像情報を前記画像メモリに格納する際、画像を回転させて格納する回転手段を具備する。
【０００８】
請求項５に係る本発明は、請求項１に記載の画像記録装置において、さらに加えて、前記画像メモリに格納された画像情報を出力する際、画像を回転させて出力する回転手段を具備する。
【０００９】
請求項６に係る本発明は、請求項１に記載の画像記録装置において、さらに加えて、ユーザーが前記出力用紙を選択する出力用紙選択手段を具備する。
【００１０】
請求項７に係る本発明は、請求項１に記載の画像記録装置において、前記原稿は原稿台上に載置され、光学撮像素子により画像情報が読み込まれる。
【００１１】
請求項８に係る本発明は、複数頁分の一連の原稿画像を入力し、入力した原稿画像をシート上に記録する記録手段を有し、１枚のシートの同一面上に複数の原稿画像を配列記録することが可能な画像記録装置であって、前記記録手段によるシートに対する画像の記録処理に先立ち、前記複数の原稿画像を配列記録すべきシートのサイズに応じた変倍処理を、前記１枚のシートの同一面上に配列記録すべき前記複数の画像の各画像毎に行う変倍手段と、１枚のシートの同一面上に、縦向きで使用される種類の原稿の画像及び、横向きで使用される種類の原稿の画像とを含む複数の原稿画像を配列記録させることに応じて、縦向きで使用される種類の原稿の画像の変倍率と、横向きで使用される種類の原稿の画像の変倍率を夫々決定し、夫々の変倍率で夫々変倍処理された縦向きで使用される種類の原稿の画像及び横向きで使用される種類の原稿の画像を前記１枚のシートの同一面上に配列記録させるよう制御すると共に、前記一枚のシートの同一面上において前記縦向きで使用される種類の原稿及び前記横向きで使用される種類の原稿のうちの一方の種類の原稿の画像を他方の種類の原稿サイズに応じたサイズに分割する為のレイアウト処理を実行するか否かを制御する制御手段と、を有する。
【００１２】
請求項９に係る本発明は、複数頁分の一連の原稿画像を入力し、入力した原稿画像をシート上に記録する記録手段を有し、１枚のシートの同一面上に複数の原稿画像を配列記録することが可能な画像記録装置の制御方法であって、前記記録手段によるシートに対する画像の記録処理に先立ち、前記複数の原稿画像を配列記録すべきシートのサイズに応じた変倍処理を、前記１枚のシートの同一面上に配列記録すべき前記複数の画像の各画像毎に行うステップと、１枚のシートの同一面上に、縦向きで使用される種類の原稿の画像及び、横向きで使用される種類の原稿の画像とを含む複数の原稿画像を配列記録させることに応じて、縦向きで使用される種類の原稿の画像の変倍率と、横向きで使用される種類の原稿の画像の変倍率を夫々決定し、夫々の変倍率で夫々変倍処理された縦向きで使用される種類の原稿の画像及び横向きで使用される種類の原稿の画像を前記１枚のシートの同一面上に配列記録させるよう制御すると共に、前記一枚のシートの同一面上において前記縦向きで使用される種類の原稿及び前記横向きで使用される種類の原稿のうちの一方の種類の原稿の画像を他方の種類の原稿サイズに応じたサイズに分割する為のレイアウト処理を実行するか否かを制御するステップと、を有する。
【００１３】
請求項１０に係る本発明は、原稿から読み込んだ画像情報を格納する画像メモリを有する画像記録装置の制御方法であって、前記画像メモリに複数枚の一連の原稿の画像情報を格納する際、前記画像情報を、出力用紙のサイズに応じたメモリ領域に変倍して格納させるメモリ制御ステップを具備し、前記メモリ制御ステップは、前記一連の原稿が第１のサイズの原稿と前記第１サイズよりも大きい第２のサイズの原稿を有す原稿の場合に、前記原稿毎に変倍率を制御すると共に、前記第２サイズの原稿の画像情報を前記第１のサイズに応じた原稿サイズに分割してレイアウトする原稿混載モードを実行するか否かを制御する。
【００１４】
【発明の実施の形態】
【実施例】
以下、添付図面を参照して、本発明に係る好適な実施の形態を詳細に説明する。
実施の形態１
図１および図２は、本発明の実施の形態に係る画像複写装置の概略内部構成の一例を示す図である。同図に示す画像複写装置の主要構成として、その上部にデジタルカラー画像を読み取るデジタルカラー画像読取装置（以下、「カラーリーダ」と称する）１、下部にデジタルカラー画像を印刷出力するデジタルカラー画像プリント装置（以下、「カラープリンタ」と称する）２、そして、画像記憶装置３を有する。
【００１５】
本装置のカラーリーダ１は、後述する色分解手段と、ＣＣＤ等で構成される光電変換素子とにより読取り原稿のカラー画像情報を色別に読み取り、電気的なデジタル画像信号に変換する装置である。また、カラープリンタ２は、出力すべきデジタル画像信号に応じてカラー画像を色別に制限し、記録媒体のシート材、すなわち、被記録紙にデジタル的なドット形態にて複数回、転写して記録する電子写真方式のレーザービームカラープリンタである。
【００１６】
画像記憶装置３は、カラーリーダ１にて読み取られたデジタル画像情報を記憶する装置である。
【００１７】
以下、各部毎に、その詳細を説明する。
＜カラーリーダ１の説明＞
まず、カラーリーダ１の構成を説明する。
【００１８】
図１のカラーリーダ１において、９９９は原稿、４は原稿を載置するプラテンガラス、５はハロゲン露光ランプ１０により露光走査された原稿からの反射光像を集光し、等倍型フルカラーセンサ６に画像入力するためのロッドアレイレンズである。ロッドアレイレンズ５、等倍型フルカラーセンサ６、センサ出力信号の増幅回路７、そして、ハロゲン露光ランプ１０が一体となって原稿走査ユニット１１を構成し、原稿９９９を矢印（図中、Ａ１）方向に露光走査する。
【００１９】
原稿９９９の読み取るべき画像情報は、原稿走査ユニット１１を露光走査することにより、１ライン毎に順次読み取られる。読み取られた色分解画像信号は、増幅回路７により所定電圧に増幅された後、信号線５０１によりビデオ処理ユニット１２に入力され、ここで信号処理される。なお、信号線５０１は信号の忠実な伝送を保証するために、同軸ケーブルにて構成される。
【００２０】
信号線５０２は、等倍型フルカラーセンサ６の駆動パルスを供給する信号線であり、必要な駆動パルスはビデオ処理ユニット１２内で全て生成される。８，９は、画像信号の白レベル補正、黒レベル補正のための白色板、および黒色板であり、ハロゲン露光ランプ１０で照射することにより、それぞれ所定の濃度の信号レベルを得ることができ、ビデオ信号の白レベル補正、黒レベル補正に使われる。
【００２１】
１２は後述するビデオ処理ユニットであり、１３は、マイクロコンピュータを有する、本実施の形態に係る装置を構成するカラーリーダ１全体の制御を司るコントロールユニットである。このコントロールユニット１３は、バス５０８を介して操作パネル２０における表示、キー入力の制御、およびビデオ処理ユニット１２の制御などを行なう。また、コントロールユニット１３は、ポジションセンサＳ１，Ｓ２により、信号線５０９，５１０を介して原稿走査ユニット１１の位置を検出する。
【００２２】
信号線５０３を介して、ステッピングモータ１４を制御するための制御信号がステッピングモータ駆動回路１５に送られ、ステッピングモータ駆動回路１５は、ステッピングモータ１４をパルス駆動するためのパルス信号を信号線５０６を介して出力する。ステッピングモータ１４の回転駆動は、プーリ１７に伝達され、さらに、ワイヤー１８によって原稿走査ユニット１１に伝達されて、原稿９９９を走査する。また、信号線５０４を介して、露光ランプドライバ２１によりハロゲン露光ランプ１０のＯＮ／ＯＦＦ制御、光制御が行なわれ、信号線５０５を介して、デジタイザ１６、および表示部の制御など、カラーリーダ部１の全ての制御を行なっている。
【００２３】
２０は、カラーリーダ部１の操作パネルであり、タッチパネルを兼用した液晶表示パネル、および各種の指示を与えるためのキーを含む。また、原稿露光走査時に、上述した原稿走査ユニット１１によって読み取られたカラー画像信号は、増幅回路７、信号線５０１を介してビデオ処理ユニット１２に入力される。
【００２４】
次に、上述した原稿走査ユニット１１、ビデオ処理ユニット１２の詳細について説明する。
【００２５】
図３は、本実施の形態に係る画像複写装置の原稿走査ユニット、およびビデオ処理ユニットの内部構成を示すブロック図である。同図において、７１は、基本パルスを発振する水晶発振器（Ｏ．Ｓ．Ｃ）を示し、７０は、Ｏ．Ｓ．Ｃ７１から出力される基本パルス、および水平同期信号に基づいて、後述するＣＣＤドライバ４１とサンプルホールド回路（Ｓ／Ｈ）４３に所定のパルスを出力するパルスジェネレータを示している。４１は、等倍型フルカラーセンサ６を駆動するＣＣＤドライバであって、パルスジェネレータ７０からのパルスに基づいて駆動する。そして、コントロールユニット１３において、その内部のＣＰＵ２２は、制御プログラムを格納しているＲＯＭ２３のプログラムを、ワークエリアとして使用するＲＡＭ２４上で実行する。また、２５は、外部とのデータの入出力を行なうＩ／Ｏポートである。
【００２６】
ビデオ処理ユニット１２に入力されたカラー画像信号は、サンプルホールド回路（Ｓ／Ｈ）４３により、Ｇ（グリーン），Ｂ（ブルー），Ｒ（レッド）の３色に分離される。分離された各カラー画像信号は、Ａ／Ｄ変換器４４でアナログ／デジタル変換されてデジタル・カラー画像信号となる。
【００２７】
本実施の形態では、原稿走査ユニット１１内の等倍型フルカラーセンサ６は、図３にても示されるように、５領域に分解した千鳥状に構成されている。この等倍型フルカラーセンサ６とズレ補正回路４５とを用いて、先行走査している２，４チャネルと、残りの１，３，５チャネルの読取り位置ずれを補正している。そして、ズレ補正回路４５からの位置ずれ補正済みの信号は、黒補正／白補正回路４６に入力され、前述の白色板８、黒色板９からの反射光に応じた信号を利用して、等倍型フルカラーセンサ６の暗時ムラやハロゲン露光ランプ１０の光量ムラ、センサの感度バラツキなどが補正される。等倍型フルカラーセンサ６の入力光量に比例したカラー画像データはビデオインターフェース２０１に入力され、このビデオインターフェース２０１は、画像記憶装置３と接続される。
【００２８】
図４および図５は、ビデオインターフェース２０１の機能を説明する図である。すなわち、
（１）黒補正／白補正回路４６からの信号５５９を画像記憶装置３に出力する機能（図４）
（２）画像記憶装置３からの信号５５９を色変換回路４７に出力する機能（図５）
（３）画像記憶装置３とカラーリーダ１との間の制御ライン２０７（ＨＳＹＮＣ，ＶＳＹＮＣ，画像イネーブルＥＮなどのライン）、およびＣＰＵとの通信ライン５６１の接続。特に、ＣＰＵ通信ライン５６１はコントロールユニット１３内の通信コントローラ１６２に接続され、各種コマンド、および領域情報のやりとりを行なう。
【００２９】
以上の３つの機能の選択は、ＣＰＵ制御ライン５０８によって、図４、および図５に示すように切り換わる。
【００３０】
このように、ビデオインターフェース２０１は３つの機能を有し、その信号ライン２０５，２０７は双方向の伝送が可能となっている。かかる構成により、双方向伝送が可能となり、信号ライン数の削減、ケーブルの細線化ができるとともに、装置を安価にすることができる。
【００３１】
また、図３において、黒補正／白補正回路４６からの画像信号５５９は、色変換回路４７に入力されるが、この色変換回路４７の働きについては、後述する。
【００３２】
色変換回路４７からの出力信号５６３は、人間の目の比視感度特性に合わせるための処理を行なう対数変換回路（以下、「ＬＯＧ」と称す）４８に入力される。ここでは、白＝００Ｈ，黒＝ＦＦＨ（Ｈは、１６進数を示す）となるべく変換される。また、各Ｂ，Ｇ，Ｒに対して出力されるデータは、出力画像の濃度値に対応しており、Ｂ（ブルー），Ｇ（グリーン），Ｒ（レッド）の各信号に対して、それぞれイエロー，マゼンタ，シアンのトナー量に対応するので、以後のカラー画像データは、Ｙ，Ｍ，Ｃに対応づける。
【００３３】
なお、色変換回路４７は、入力されるカラー画像データＲ，Ｇ，Ｂより特定の色を検出して他の色に置き換える回路である。例えば、原稿の中の赤色の部分を青色や他の任意の色に変換する機能を実現するものである。
【００３４】
ＬＯＧ４８からの画像データは、信号線５６４を介して色補正回路４９に入力され、原稿画像からの各色成分の画像データ、すなわち、イエロー成分、マゼンタ成分、シアン成分に対して、色補正回路４９にて、下記のごとく色補正を行なう。
【００３５】
図６（ａ），（ｂ）および図７（ａ），（ｂ）は、本実施の形態に係る装置における色補正方法を説明するための図である。
【００３６】
カラー読取りセンサに一画素ごとに配置された色分解フィルタの分光特性は、図６（ａ），（ｂ）において斜線部にて示すような不要透過領域を有している。一方、例えば、転写紙に転写される色トナー（Ｙ，Ｍ，Ｃ）も、図７（ａ），（ｂ）のような不要吸収成分を有することはよく知られている。なお、図６（ａ），（ｂ）、および図７（ａ），（ｂ）では、それぞれＢ，ＧとＹ，Ｍについてのみ示されている。
【００３７】
そこで、各色成分画像データＹｉ，Ｍｉ，Ｃｉに対し、
【００３８】
【数１】
0003658396.tif 000002
【００３９】
なる各色の一次式を算出し、色補正を行なうマスキング補正がよく知られている。さらに、Ｙｉ，Ｍｉ，Ｃｉにより、Ｍｉｎ（Ｙｉ，Ｍｉ，Ｃｉ）（Ｙｉ，Ｍｉ，Ｃｉの内の最小値）を算出し、これをスミ（黒）として、後に黒トナーを加える（スミ入れ）操作と、加えた黒成分に応じて各色材の加える量を減じる下色除去（ＵＣＲ）操作がよく行なわれる。
【００４０】
次に、原稿上の黒い文字や細線の黒表現、および黒文字、黒細線のエッジ部の色にじみを改善する黒文字処理回路６９について説明する。
【００４１】
図８は、本実施の形態に係る画像複写装置における、Ｙ，Ｍ，Ｃ，Ｂｋの入出力特性を示す図である。
【００４２】
図３に示す黒補正／白補正回路４６によって、黒レベル、白レベル補正されたＲ，Ｇ，Ｂ（レッド，グリーン，ブルー）の各色信号５５９Ｒ，５５９Ｇ，５５９Ｂは、ＬＯＧ４８、色補正回路４９にてマスキング・下色除去を受けた後、プリンタに出力すべき色信号が選択され、選択された色信号が信号線５６５に出力される。これと並行して、信号Ｒ，Ｇ，Ｂより原稿の無彩色部分で、かつ、エッジ部分、すなわち、黒文字、黒細線である部分を検出するために、輝度信号Ｙ，色差信号Ｉ，Ｑを算出する。
【００４３】
これらＹ，Ｉ，Ｑ信号により、黒のエッジ部に対し黒トナー量を増加し、また、その部分に対するＹ，Ｍ，Ｃのトナー量を減らすことにより、黒部をより黒く表現する。そして、黒文字処理回路６９からの信号５８９はＡＮＤ回路９０に入力される。このＡＮＤ回路９０は、入力信号５８９を、次段の濃度変換回路１１６に伝達するかどうかのスイッチの働きをする。なお、ＡＮＤ回路９０は、領域発生回路７２により制御される。
【００４４】
濃度変換回路１１６（図３）は、図８の特性図に示すように色ごとに濃度や階調が変えられるようになっており、例えば、ＬＵＴ（ルックアップテーブル）などで構成される。濃度変換回路１１６からの出力信号６１０は変倍回路１１７に入力され、変倍回路１１７は１ライン分のメモリを持ち、メモリへの書き込み周波数と読み出し周波数とをそれぞれ変えることにより、変倍を行なう。これにより、主走査方向の変倍が行なわれるが、副走査方向の変倍は、原稿走査ユニット１１のスキャンスピードを変倍率に応じて変えることにより行なう。
【００４５】
変倍回路１１７からの出力信号６１１は、次段の繰り返し回路１１８に入力される。この回路は、図９に示すように、ＦＩＦＯにて構成される。
【００４６】
図９は、繰り返し回路１１８の詳細構成を示すブロック図であり、また、図１０は、繰り返し回路１１８の出力例を示す図である。
【００４７】
図９において、６０９はＨＳＹＮＣ信号であり、ラインごとに１回のＬ０ パルスがライン同期信号として入力され、ＦＩＦＯ内部のＷＲ（ライト）ポインタ（不図示）を初期化する。また、６１１は入力画像データ、６１２は出力画像データであり、リピート信号６１６は、ＦＩＦＯのＲＤ（リード）ポインタを初期化する信号である。すなわち、毎ラインで同一に形成されたリピート信号６１６をＦＩＦＯに与えることにより、図１０に示すような同一画像の繰り返しを行なわせることができる。
【００４８】
ビデオ処理ユニット１２で処理された画像情報は、プリンタインターフェース５６を介してカラープリンタ２に出力される。
＜カラープリンタ２の説明＞
次に、カラープリンタ２の構成を説明する。
【００４９】
図２に示すカラープリンタ２の構成において、７１１はレーザスキャナであり、カラーリーダ１（図１）からの画像信号を光信号に変換するレーザ出力部、発光されたレーザを反射するポリゴンミラー７１２、ポリゴンミラー７１２を回転させるモータ（不図示）、およびｆ／θレンズ（結像レンズ）７１３などを有する。７１４は、図中、一点鎖線で示されるスキャナ７１１よりのレーザ光の光路を変更する反射ミラー、そして、７１５は感光ドラムである。
【００５０】
レーザ出力部７１１から出射されたレーザ光はポリゴンミラー７１２で反射され、ｆ／θレンズ７１３、および反射ミラー７１４により感光ドラム７１５の面上を線状に走査（ラスタースキャン）し、原稿画像に対応した潜像を形成する。
【００５１】
また、７１７は一次帯電器、７１８は全面露光ランプ、７２３は転写されなかった残留トナーを回収するクリーナ部、７２４は転写前帯電器であり、これらの部材は感光ドラム７１５の周囲に配設されている。７２６は、レーザ露光によって感光ドラム７１５の表面に形成された静電潜像を現像する現像器ユニットであり、７３１Ｙ（イエロー用），７３１Ｍ（マゼンタ用），７３１Ｃ（シアン用），７３１Ｂｋ（ブラック用）は、感光ドラム７１５と接して直接現像を行なう現像スリーブ、７３０Ｙ，７３０Ｍ，７３０Ｃ，７３０Ｂｋは予備トナーを保持しておくトナーホッパー、７３２は現像剤の移送を行なうスクリューである。これらのスリーブ７３１Ｙ〜７３１Ｂｋ，トナーホッパー７３０Ｙ〜７３０Ｂｋ、およびスクリュー７３２により現像器ユニット７２６が構成され、これらの部材は現像器ユニット７２６の回転軸Ｐの周囲に配設されている。
【００５２】
例えば、イエローのトナー像を形成するときは、現像器ユニット７２６は、図２に示す位置でイエロートナー現像を行なう。また、マゼンタのトナー像を形成するときは、モータ５３０によって現像器ユニット７２６を図の軸Ｐを中心に回転させ、マゼンタ現像器内の現像スリーブ７３１Ｍを感光ドラム７１５に接する位置に配設させる。シアン，ブラックの現像についても、同様に、現像器ユニット７２６を図の軸Ｐを中心に回転させて行なう。
【００５３】
７１６は、感光ドラム７１５上に形成されたトナー像を用紙７９１に転写する転写ドラムであり、７１９は転写ドラム７１６の移動位置を検出するためのアクチュエータ板、７２０は、このアクチュエータ板７１９と近接することにより転写ドラム７１６がホームポジションに移動したことを検出するポジションセンサ、７２５は転写ドラムクリーナ、７２７は紙押えローラ、７２８は除電器、７２９は転写帯電器であり、これらは、転写ローラ７１６の周囲に配設されている。
【００５４】
一方、７３５，７３６は用紙（紙葉体）７９１を収拾する給紙カセット、７３７，７３８は、カセット７３５，７３６から用紙を給紙する給紙ローラ、７３９，７４０，７４１は給紙、および搬送のタイミングをとるタイミングローラである。これらを経由して給紙搬送された用紙は、紙ガイド７４９に導かれ、その先端を、後述のグリッパに担持されながら転写ドラム７１６に巻き付けて像形成過程に移行する。
【００５５】
また、５５０はドラム回転モータであり、感光ドラム７１５と転写ドラム７１６を同期回転させる。７５０は、像形成過程が終了後、用紙を転写ドラム７１６から取りはずす剥離爪、７４２は、取りはずされた用紙を搬送する搬送ベルト、７４３は、搬送ベルト７４２で搬送されてきた用紙を定着する画像定着部である。この画像定着部７４３において、モータ取り付け部７４８に取り付けられたモータ７４７の回転力は、伝達ギヤ７４６を介して一対の熱圧力ローラ７４４，７４５に伝達され、これら熱圧力ローラ７４４，７４５間を搬送される用紙上の像を定着する。
【００５６】
定着された用紙は、片面コピー時は、そのまま排紙ローラ７５４により機外に排出される。また、両面コピー時には、用紙が排紙センサ７５３を通過後、排紙フラッパー７５１が、図中の点線にて示す状態となり、排紙ローラ７５４の回転が逆転して両面パス７５２に用紙が搬送され、タイミングローラ７３９，７４０，７４１へ搬送されて、再び転写ドラムに担持されることで像形成を行なう。
【００５７】
そこで、以上の構成をとるカラープリンタ２におけるプリントアウト処理を説明する。
【００５８】
図１１は、本実施の形態に係る画像複写装置におけるプリント時のタイミングチャートである。同図において、ＩＴＯＰ（５５１）は、画像送り方向（副走査方向）の同期信号であり、１画面の送出しに１回、すなわち、４色（イエロー，マゼンタ，シアン，ブラック）の画像の送出しに、各々１回、計４回発生する。これは、カラープリンタ２の転写ドラム７１６上に巻き付けられた転写紙の紙先端が、感光ドラム７１５との接点にてトナー画像の転写を受け付ける際、原稿の先端部の画像と位置とが合致すべく、転写ドラム７１６、感光ドラム７１５の回転と同期しており、不図示のケーブルを介してビデオ処理ユニット１２に送られる。
【００５９】
具体的には、最初のＩＴＯＰにて、レーザ光より感光ドラム７１５上にイエロー成分のＹ潜像が形成され、これが現像ユニット７３１Ｙにより現像される。次に、転写ドラム７１５上の用紙に転写が行なわれ、イエロープリント処理が行われる。そして、現像ユニット７２６が、図２の軸Ｐを中心に回動する。
【００６０】
次にＩＴＯＰ５５１にて、レーザ光により感光ドラム７１５上にマゼンタ成分のＭ潜像が形成され、上記と同様の動作でマゼンタプリント処理が行なわれる。この動作を、続くＩＴＯＰ５５１に対応してＣ，Ｂｋについても同様に行なうことで、シアンプリント処理、およびブラックプリント処理が行なわれる。
【００６１】
このようにして像形成過程が終了すると、次に、剥離爪７５０により用紙の剥離が行なわれ、画像定着部７４３で定着されることで一連のカラー画像のプリントが終了する。
＜画像記憶装置の説明＞
本実施の形態に係る画像複写装置を構成するカラーリーダ１から画像記憶装置３への記憶方法と、画像記憶装置３から画像情報を読み出し、処理した後、カラープリンタ２により画像形成を行なう動作について詳細に説明する。
【００６２】
最初に、カラーリーダ１からの画像記憶動作について説明する。
【００６３】
図１２は、本実施の形態における画像記憶時のタイミングチャートであり、図１３は、本実施の形態に係る画像複写装置のＣＰＵ２２における読み取り動作を説明するフローチャートである。
【００６４】
カラーリーダ１による読み取り領域の設定は、図１に示す原稿走査ユニット１１により、原稿９９９をプリスキャンすることにより行なわれる。つまり、図１３において、原稿走査ユニット１１により原稿９９９が走査され（ステップＳ１）、原稿の大きさがコントロールユニット１３内のＣＰＵ２２によって検知される（ステップＳ２）。
【００６５】
原稿の大きさ、すなわち、読み取り領域の情報は、図１の通信ライン５０１を介してビデオインターフェース２０１に送られる。ビデオインターフェース２０１に入力された読み取り領域情報は、信号ライン２０７を介して画像記憶装置３へ送られる（ステップＳ３）。
【００６６】
カラーリーダ１は、図１２のタイミングチャートに示すＶＣＬＫ信号，ＩＴＯＰ，ＥＮ信号などを、信号ライン２０７にて、画像データ２０５とともに画像記憶装置３へ出力する。また、図４に、ビデオインターフェース２０１でのデータの流れを示す。
【００６７】
図１２に示すように、操作部２０のスタートボタンを押すことにより、ステッピングモータ１４が駆動されて原稿走査ユニット１１が走査を開始し（ステップＳ４）、走査が原稿先端に達したとき、ＩＴＯＰ信号が論理“１”となって、原稿走査ユニット１１がプリスキャンによって指定した領域に達し、この領域を走査中、ＥＮ信号が論理“０”となる。このため、ＥＮ信号が論理“０”の間の読み取りカラー画像情報（ＤＡＴＡ２０５）が取り込まれる。
【００６８】
図１２に示すように、カラーリーダ１からの画像データ転送は、図４に示すようにビデオインターフェース２０１を制御することにより、ＩＴＯＰ，ＥＮ信号の制御信号、およびＶＣＬＫを信号２０７′としてビデオインターフェース２０１から出力し、これらの信号２０７′に同期して、Ｒデータ２０５Ｒ，Ｇデータ２０５Ｇ，Ｂデータ２０５Ｂがリアルタイムで画像記憶装置３へ送られる（ステップＳ５）。
【００６９】
次に、これら画像データと制御信号による画像記憶装置３での具体的な記憶動作を詳しく説明する。
【００７０】
図１４は、本実施の形態に係る画像複写装置の画像記憶装置３の構成を示す詳細回路図である。同図において、１００１はコネクタ、１００２はセレクタ、１００３はメモリ、１００４，１００５，１００８はインバータ、１００６，１００７は１３ビットカウンタ、１００９，１０１０，１０１１，１０１２はトライステートバッファ、１０１３は通信制御部である。１０１７は、画像記憶装置３全体の制御を行なうＣＰＵであり、１０１４は、ＣＰＵ１０１７が動作するための各種プログラムを格納したＲＯＭを示し、１０１５は、ＣＰＵ１０１７がＲＯＭ１０１４の各種プログラムを実行するときに使用するワークエリアとしてのＲＡＭを示し、１０１６は出力ポートである。
【００７１】
２００１Ｒ，２００１Ｇ，２００１Ｂ，２００７Ｒ，２００７Ｇ，２００７Ｂ，２０１９Ｒ，２０１９Ｇ，２０１９Ｂ，２０１２〜２０１７は、それぞれ信号線を示し、また、２００２はＩＴＯＰ信号，２００３はＥＮ信号、２００４はビデオクロック（ＶＣＬＫ）、２００５は通信信号（ＣＯＭ）、２００６はセレクト信号、２００８はＩＴＯＰ信号、２００９はＥＮ信号、２０１０は制御信号、２０１８はアドレス信号，データ，制御信号を伝送するバスラインを示している。
【００７２】
次に、上記構成の動作について説明する。
【００７３】
コネクタ１００１は、図３に示すカラーリーダ１内のビデオインターフェース２０１とケーブルを介して接続されている。Ｒデータ２０５Ｒ，Ｇデータ２０５Ｇ，Ｂデータ２０５Ｂは、それぞれコネクタ１００１を介して信号線２００１Ｒ，２００１Ｇ，２００１Ｂに入力される。また、制御信号、および通信信号である信号２０７も、同様に、コネクタ１００１を介して信号線２００２〜２００５に入力される。
【００７４】
信号線２００１Ｒ，２００１Ｇ，２００１Ｂを通る画像信号（以下、「２００１Ｒ′」，［２００１Ｇ′」，「２００１Ｂ′」と称す）は、セレクタ１００２に入力される。画像記憶時には、セレクタ１００２はセレクト信号２００６により、図のＡ側に設定され、入力された画像信号２００１Ｒ′，２００１Ｇ′，２００１Ｂ′（これらをまとめて「画像情報２００１」と称す）は、信号線２００７Ｒ，２００７Ｇ，２００７Ｂを通ってメモリ１００３に入力される。
【００７５】
ＩＴＯＰ信号２００２はインバータ１００４で反転され、ＩＴＯＰ信号２００８としてカウンタ１００６のクリア端子に入力される。また、ＥＮ信号２００３はインバータ１００５で反転され、ＥＮ信号２００９としてカウンタ１００６のクロック入力端子、およびカウンタ１００７のクリア端子に入力される。さらに、ＶＣＬＫ２００４は、カウンタ１００７のクロック入力端子に入力される。
【００７６】
次に、メモリ１００３への記憶方法を、原稿がＡ４サイズのときを例として詳しく説明する。
【００７７】
図１５は、本実施の形態に係る画像複写装置を構成するカラーリーダ１のプラテンガラス４上に、Ａ４サイズの原稿９９９が載置された例で、プラテンガラス４の下から見た図を示す。また、同図には、ビデオ処理ユニット１２からの制御信号も書き加えてある。
【００７８】
本実施の形態に係る原稿走査ユニット１１は、原稿９９９を１６ｄｏｔ／ｍｍで読み込み、それをデジタル情報に変換して画像記憶装置３に送り込む。
【００７９】
図１５において、「Ｍ」にて示される基準マークに合わせて原稿９９９をセットした場合、方向性においては、原稿の水平（Ｈ）方向は、図示のように０番地から４７５２番地に対応し、垂直（Ｖ）方向は０番地から３３６０番地に対応する。上述の制御信号２０７′（ＥＮ，ＶＣＬＫ，ＩＴＯＰ）は、図１５に示したようなタイミングで発生し、画像記憶装置３に送られる。
【００８０】
また、図１６は、本実施の形態におけるビデオ処理ユニット１２からの制御信号２０７′と画像信号２０５とにそれぞれ対応する画像記憶装置３内の信号のタイミングチャートである。
【００８１】
ＩＴＯＰ信号２００８が論理“０”のときカウンタ１００６はクリアされ、カウンタ出力２０１３は全て論理“０”となっている。このとき、ＥＮ信号２００９は“０”となっており、カウンタ１００７はクリアされて、信号線２０１２に出力されるカウンタ出力は全て“０”となる。また、ＩＴＯＰ信号が“０”から“１”へ変化すると、原稿の有効画像情報２００１が出力されるとともに、ＥＮ信号２００９が“０”から“１”に変化する。また、コネクタ１００１からＶＣＬＫ２００４が、常時出力される。
【００８２】
ＥＮ信号２００９が“１”になると、カウンタ１００７はクリアが解除され、ＶＣＬＫ２００４に同期してカウントアップした値が信号線２０１２に出力される。ＥＮ信号２００９は、信号レベルが“０”から“１”へと変化してから、ＶＣＬＫ２００４が４７５２個に相当する時間が経過すると、再び“０”へと変化する。カウンタ１００７の出力は、上記のＥＮ信号２００９の制御により、０〜４７５２までの値をとる。
【００８３】
図１５において、「Ｍ」にて示される基準マークに合わせて原稿９９９をセットした場合、方向性においては、原稿の水平（Ｈ）方向は、図示のように０番地から４７５２番地に対応し、垂直（Ｖ）方向は０番地から３３６０番地に対応する。上述の制御信号２０７′（ＥＮ，ＶＣＬＫ，ＩＴＯＰ）は、図１５に示したようなタイミングで発生し、画像記憶装置３に送られる。
【００８４】
また、図１６は、本実施の形態におけるビデオ処理ユニット１２からの制御信号２０７′と画像信号２０５とにそれぞれ対応する画像記憶装置３内の信号のタイミングチャートである。
【００８５】
ＩＴＯＰ信号２００８が論理“０”のときカウンタ１００６はクリアされ、カウンタ出力２０１３は全て論理“０”となっている。このとき、ＦＮ信号２００９は“０”となっており、カウンタ１００７はクリアされて、信号線２０１２に出力されるカウンタ出力は全て“０”となる。また、ＩＴＯＰ信号が“０”から“１”へ変化すると、原稿の有効画像情報２００１が出力されるとともに、ＥＮ信号２００９が“０”から“１”に変化する。また、コネクタ１００１からＶＣＬＫ２００４が、常時出力される。
【００８６】
ＥＮ信号２００９が“１”になると、カウンタ１００７はクリアが解除され、ＶＣＬＫ２００４に同期してカウントアップした値が信号線２０１２に出力される。ＥＮ信号２００９は、信号レベルが“０”から“１”へと変化してから、ＶＣＬＫ２００４が４７５２個に相当する時間が経過すると、再び“０”へと変化する。カウント１００７の出力は、上記のＥＮ信号２００９の制御により、０〜４７５２までの値をとる。
【００８７】
カウンタ１００６は、上述のようにＩＴＯＰ信号２００８によりクリアされた後、ＥＮ信号２００９が“０”から“１”へと変化するたびに１つカウントアップする。すなわち、カウンタ１００７は、Ｈ方向の番地を出力し、カウンタ１００６はＶ方向の番地（行）を出力する。このカウンタ１００７の出力は、信号線２０１２を介してトライステートバッファ１０１０と１０１１とに入力される。また、カウンタ１００６の出力は、信号線２０１３を介してトライステートバッファ１００９と１０１２とに入力される。
【００８８】
メモリ１００３に画像情報を信号線２００７Ｒ，Ｇ，Ｂを介して入力される場合には、出力ポート１０１６からの制御信号２０１０により、トライステートバッファ１００９と１０１０とが有効となるように制御される。すなわち、カウンタ１００７の出力は、信号線２０１２、トライステートバッファ１０１０を介し、さらに、信号線２０１４を通ってメモリ１００３のＡ０〜Ａ１２に入力される。また、カウンタ１００６の出力は、信号線２０１３、トライステートバッファ１００９を介し、さらに、信号線２０１６を通ってメモリ１００３のＡ１３〜Ａ２５に入力される。つまり、メモリ１００３は、Ａ０〜Ａ２５までの２６ビットのアドレスを有し、Ａ０〜Ａ１２，Ａ１３〜Ａ２５は、各々別のカウンタ１００６，１００７からの出力によって制御されている。
【００８９】
図１７は、本実施の形態におけるメモリ１００３のアドレス空間を示す。
【００９０】
図１４に示すように、カウンタ１００６，１００７の出力は、各々１３ビットを有し、これらがメモリ１００３のアドレスＡ０〜Ａ１２，Ａ１３〜Ａ２５に入力されていることから、Ｈ方向は０番地から８１９１番地まで、Ｖ方向は０行から８１９１行までのアドレス空間に相当する。そして、図１７に示すメモリ空間に、図１６に示すタイミングにて画像情報２００１を入力した場合、その専有領域は、図１７において斜線部分にて示される。
【００９１】
なお、ここでは、図１５の原稿９９９のアドレスに対応して、メモリ１００３上に画像情報２００１が記憶される、つまり、Ａ４サイズの画像情報をメモリ１００３上に記憶したが、出力用紙と原稿の方向性が同一の場合、画像情報をメモリ１００３に記憶せず、カラーリーダ１から直接カラープリンタ２へ出力することも可能である。
【００９２】
次に、画像記憶装置３のメモリ１００３からの画像情報の読み出し処理について説明する。
【００９３】
図１８は、本実施の形態に係る画像複写装置のＣＰＵ１０１７による画像読み出し動作を説明するフローチャートである。同図のステップＳ６では、カラープリンタ２の給紙カセット７３５，７３６にセットされている紙の種類を検知する。なお、ここでは、それぞれのカセットには、Ａ４Ｒ，Ａ３用紙が収納されているものとする。
【００９４】
そこで、上段の給紙カセット７３５に収納されているＡ４Ｒ用紙に画像形成する処理を説明する。（カラープリンタ２の画像形成の記録密度も、カラーリーダ１と同様に１６ｄｏｔ／ｍｍである）
図１９は、本実施の形態において、メモリ１００３に記憶されている画像情報をＡ４Ｒ用紙に出力する場合の出力例を示す図である。同図に示すように、Ａ４Ｒの記録用紙に出力する場合、メモリ１００３に記憶されている画像情報を９０°回転して読み出す。
【００９５】
以下、この９０°回転を行なう読み出し方法を説明する。
【００９６】
まず、９０°回転に先だち、カラーリーダ１のビデオインターフェース２０１は、図５のように設定され、画像情報は、画像記憶装置３からビデオ処理ユニット１２に向かって伝達される。また、画像記憶装置３のＣＰＵ１０１７は、出力ポート１０１６を制御することによって、セレクタ１００２をＢ側に設定し、また、トライステートバッファ１００９〜１０１２の内、トライステートバッファ１０１１，１０１２を有効とし、トライステートバッファ１００９，１０１０をハイインピーダンス状態とする（図１８のステップＳ７）。
【００９７】
カラーリーダ部１内のコントロールユニット１３は、ケーブル５１１を介してカラープリンタ２の給紙カセット７３５内にセットされている用紙の種類情報を得る。本実施の形態では、上段にＡ４Ｒ用紙がセットされており、この情報からカラーリーダ１内のビデオ処理ユニットは、画像形成時、図１９に示すＥＮ信号、ＶＣＬＫ，ＩＴＯＰ信号を出力する。
【００９８】
ＩＴＯＰ信号は、Ａ４Ｒ用紙が給紙され、転写ドラムに、この用紙を巻き付けて用紙先端を検知すると出力される。また、ＥＮ信号は、レーザ出力部７１１（図２参照）から出射したレーザ光を検知することによって、Ａ４Ｒ用紙の横幅サイズ分のみ論理“０”となる。
【００９９】
ＶＣＬＫは、レーザの１画素に相当する周波数を連続的に出力する。また、記憶密度は１６ｄｏｔ／ｍｍであるから、レーザスキャン方向におけるＶＣＬＫ数は、２１０［ｍｍ］×１６［ｄｏｔ／ｍｍ］＝３３６０dot となり、ＥＮ信号も３３６０クロック入力される間は、論理“０”となる。また、ビデオ処理ユニット１２から出力され、画像記憶装置３に入力される制御信号は、カウンタ１００６，１００７に入力される。ＥＮ信号は、カウンタ１００６のクロック入力端子、およびカウンタ１００７のクリア端子に入力される。そして、ＶＣＬＫ信号は、カウンタ１００７のクロック入力端子に入力され、ＩＴＯＰ信号は、カウンタ１００６のクリア端子に入力される。
【０１００】
図２０は、本実施の形態に係る画像複写装置における制御信号のタイミングチャートである。同図に示すＥＮ信号２００９が論理“０”のとき、カウンタ１００７はクリアされ、信号線２０１２に出力されるカウンタ出力は全て論理“０”となる。また、ＩＴＯＰ信号２００８が論理“０”のとき、カウンタ１００６はクリアされ、信号線２０１３に出力されるカウンタ出力は全て論理“０”となる。
【０１０１】
カウンタ１００７は、ＥＮ信号２００９が論理“１”となった後、ＶＣＬＫ２００４が入力されると、１つずつカウントアップした出力が信号線２０１２に出力される。そして、信号線２０１２に出力されたカウンタ出力は、有効となっているトライステートバッファ１０１１を介してメモリ１００３のアドレス端子Ａ１３〜Ａ２５に入力される。カウンタ１００６は、ＩＴＯＰ信号２００８が論理“１”となった後、ＥＮ信号２００９が入力されると、１つずつカウントアップした出力が信号線２０１６に入力される。そして、カウンタ１００６の出力は、有効となっているトライステートバッファ１０１２を介してメモリ１００３の端子Ａ０〜Ａ１３に入力される。
【０１０２】
このように、メモリの端子Ａ０〜Ａ１２にはカウンタ１００６の出力信号が、また、メモリのＡ１３〜Ａ２５にはカウンタ１００７の出力信号が入力されるということは、上述した画像記憶時におけるカウンタ１００６，１００７の出力が入れ換わっていることを示す。
【０１０３】
図１７に示す画像情報の読み出しにおいて、カウンタの出力が入れ換わっていることから、最初に図１７のＶ方向の情報を読み、１ライン読み出す毎にＨ方向のカウンタ１００６の出力がカウントアップし、次のＶ方向１ラインを読み出す処理が実施される。
【０１０４】
この処理の様子を図２０に示す。同図において、メモリ出力、すなわち、信号線２０１９Ｒ，Ｇ，Ｂに出力された出力信号は、Ｈ方向の０番地において、Ｖ方向の０行〜３３６０行までのデータを読み出し、次に、Ｈ方向の１番地におけるＶ方向の０行〜３３６０行までを読み出すことによって得られるデータである。そして、この処理を４７５２番地まで繰り返すことにより、Ａ４サイズの原稿であった画像処理を９０°回転してＡ４Ｒ形式にてメモリ１００３から読み出すことができる。
【０１０５】
また、図２１に示すように、メモリ出力、すなわち、信号線２０１９Ｒ，Ｇ，Ｂに出力された信号は、Ｈ方向の４７５２番地において、Ｖ方向の逆の３３５０行〜０行の方向のデータを読み出し、次に、Ｈ方向の４７５１番地における、Ｖ方向の逆の３３６０行〜０行までを読み出すことにより得られるデータである。そして、この操作を０番地まで繰り返すことにより、Ａ４サイズの原稿であった画像情報を、前述の図２０の方向とは逆に９０°回転し、Ａ４Ｒ形式でメモリ１００３から読み出すこともできる。
【０１０６】
さらに、Ａ４原稿の画像情報をＡ４サイズの用紙に逆に１８０°回転して出力する場合には、図２２に示すように、書き込み時と逆になるように画像を読み出すようにすることで、１８０°回転した画像にすることができる。すなわち、信号線２０１９Ｒ，Ｇ，Ｂに出力される信号は、Ｖ方向の３３６０行においてＨ方向の４７５２番地〜０番地のデータを読み出し、次に、Ｖ方向の３３５９行における４７５２番地〜０番地のデータを読み出す。そして、この操作をＶ方向の０行まで繰り返し行なうことにより、１８０°回転した画像を読み出すこともできる（図１８のステップＳ８）。
【０１０７】
メモリ１００３からの画像情報は、信号線２０１９Ｒ，２０１９Ｇ，２０１９Ｂを介し、セレクタ１００２を通ってコネクタ１００１に出力される。そして、この情報は、図３に示すカラーリーダ部１内のビデオインターフェース２０１に伝送される。ビデオインターフェース２０１に入力された画像情報は、色変換回路４７，ＬＯＧ４８，色補正回路４９，黒文字処理回路６９，濃度変換回路１１６，変倍回路１１７，繰り返し回路１１８などで処理が行なわれた後、プリンタインターフェース５６を介して出力され、カラープリンタ２にて画像形成が行なわれる。
【０１０８】
カラーリーダ部１より送られてきた画像情報は、カラープリンタ２内のＰＷＭ回路７７８（図２参照）に入力される。このＰＷＭ回路７７８は、多値の画像情報をパルス幅変調により２値化し、２値化された画像情報は、レーザ出力部７１１に送られる。レーザ出力部７１１から出射したレーザ光はポリゴンミラー７１２で反射され、ｆ／θレンズ７１３、及び反射ミラー７１４により感光ドラム７１５の面を線状に走査して、メモリ１００３に対応した潜像を形成する（図１８のステップＳ１０）。
【０１０９】
なお、ステップＳ１０以降の処理については、上述のカラープリンタ２での処理と同様であるため、ここではその説明を省略する。
【０１１０】
以上で説明した画像回転は、メモリ１００３から読み出す際に行う方法であったが、メモリ１００３へ書き込む際に画像回転を行う方法も同様のアドレス指定の方式で行うことができる。そして、メモリ１００３へ書き込む際にデータの間引きや補間をすることによって縮小や拡大をすることができる。従って、画像記憶装置３内で画像の縮小、回転処理を行って、それらの縮小、回転された画像を合成することができる。
＜原稿サイズの異なる複数枚原稿の縮小レイアウトについて＞
図２３および図２４は、本実施の形態に係る画像複写装置におけるコントロールユニット１３内のＣＰＵ２２での、自動レイアウト時の動作を示すフローチャートである。同図は、操作部２０により自動縮小レイアウトのコピーモード設定後のフローである。本実施の形態では、１枚目の原稿サイズＡ４、２枚目の原稿サイズＡ４、３枚目の原稿サイズＡ３の計３枚の原稿を、出力用紙Ａ４サイズ１枚の出力用紙に縮小しプリントアウト（縮小レイアウト）を行う動作例を説明する。
【０１１１】
まず操作部２０から出力用紙サイズＡ４をセットする（ステップＳ２１０１）。次に、図示しない原稿給紙装置はセットされた原稿の枚数３枚をカウントし（Ｓ２１０２）、カラーリーダ１は原稿給紙装置に給紙された原稿のエッジを読み取り、原稿の大きさがコントロールユニット１３内のＣＰＵ２２によって検出される。１枚目から３枚目の原稿サイズでそれぞれＡ４，Ａ４，Ａ３と検出された原稿サイズは、それぞれの原稿の順番に対応づけてＲＡＭ２４に記憶される（Ｓ２１０３）。この原稿サイズの検出をセットされた全ての原稿に対して行う。また、それらの原稿は再び原稿セット位置に戻される。
【０１１２】
また原稿サイズ情報は、図１に示す通信ライン５０１を介してビデオインターフェース２０１にも送られる。ここでは、上述した図１３のステップＳ３での処理のように、原稿サイズの情報は読み取り領域として出力される。
【０１１３】
続いて、ステップＳ２１０４でコントロールユニット１３内のＣＰＵ２２によって、ＲＡＭ２４に記憶された原稿枚数及び原稿サイズより１枚の用紙上に記録する複数の原稿画像のレイアウトを決定する。決定されたレイアウトはＲＡＭ２４に記憶される。
【０１１４】
なお、これらの原稿サイズ、原稿枚数は操作部２０から入力されてもよい。
【０１１５】
以下、レイアウトを決定する際のフローについて説明する。
【０１１６】
図３１は、レイアウトを決定する際のフローチャートであり、図２３のＳ２１０２，Ｓ２１０３で検知した原稿枚数，サイズを図３１のステップＳ５１０２で原稿サイズごとの原稿枚数に整理する。具体的には、Ａ４サイズをＸ枚，Ａ３サイズをＹ枚とする。
【０１１７】
ステップＳ５１０３では、原稿枚数補正を行う。具体的には、Ａ３原稿を２分割するか否かをユーザーが選択する。
【０１１８】
図３２〜図３５は、実際のレイアウト図である。ここで図３２は、Ａ３原稿を２分割するレイアウトを選択した際の４ｉｎ１コピーで、具体的にはブックコピーなどのようにＡ４原稿２枚を一枚のＡ３用紙にまとめてある原稿などの場合に選択する。それとは別に、Ａ３原稿を分割しない場合には、図３３のような４ｉｎｌレイアウトとなる。
【０１１９】
また、このステップＳ５１０３では、上述した分割を選択した際の枚数補正を行う。具体的には、Ａ３原稿をＡ４×２枚原稿とするために、Ａ４原稿枚数補正をＡ４…２Ｙ＋Ｘ枚というように補正する。また分割しない場合には、原稿枚数補正は行わない。ステップＳ５１０４では、何枚の原稿を１枚原稿に縮小レイアウトするかを選択する。本実施の形態では、４ｉｎｌを選択した例について説明している。
【０１２０】
ステップＳ５１０５では、例えば４ｉｎｌの場合、Ａ３原稿が２枚目か、あるいは、３枚目なのかによってレイアウトを変更するため、ユーザーがＡ３分割可か否か選択する。
【０１２１】
分割可とした際には、ステップＳ５１０６の縮小レイアウト原稿混載モード１となり、その実際のレイアウト図を図３４に示す。
【０１２２】
図３４は、Ａ３原稿を２分割し、Ａ３原稿の右側と左側を１枚のＡ４原稿としてレイアウトした図である。図３５は、Ａ３分割不可とした際にＡ３原稿が上下に分かれないようレイアウトしたものである。
【０１２３】
次に、原稿給紙装置にセットされた原稿を給紙し、１枚目の原稿をプラテン４上にセットする（Ｓ２１０５）。次に、画像メモリ１００３上に１枚目の原稿を格納するための座標アドレスセットする。具体的には、Ｈ方向のスタートプリセットアドレス２３４６番地、Ｖ方向のスタートプリセットアドレスを０番地をセットする（Ｓ２１０６）。
【０１２４】
次に、縮小倍率５０％をセットし（Ｓ１２０７）、回転方向０°をセットし（Ｓ２１０８）、原稿をスキャンして画像メモリ１００３に１枚目の原稿を格納する（Ｓ２１０９）。
【０１２５】
続いて、原稿給紙装置により２枚目の原稿をプラテン上にセットする（Ｓ２１１０）。次に、画像メモリ１００３上に２枚目の原稿を格納するための座標アドレスセットする。具体的には、Ｈ方向のスタートプリセットアドレス２３６５番地、Ｖ方向のスタートプリセットアドレスを１６５３番地をセットする（Ｓ２１１１）。
【０１２６】
次に、縮小倍率５０％をセットし（Ｓ２１１２）、回転方向０°をセットし（Ｓ２１１３）、原稿をスキャンして画像メモリ１００３に２枚目の原稿を格納する（Ｓ２１１４）。
【０１２７】
続いて、原稿給紙装置により３枚目の原稿をプラテン４上にセットする（Ｓ２１１５）。次に、画像メモリ１００３上に３枚目の原稿を格納するための座標アドレスセットする。具体的には、Ｈ方向のスタートプリセットアドレス０番地、Ｖ方向のスタートプリセットアドレスを０番地をセットする（Ｓ２１１６）。次に、縮小倍率５０％をセットし（Ｓ２１２７）、回転方向０°をセットし（Ｓ２１１８）、原稿をスキャンして画像メモリに３枚目の原稿を格納する（Ｓ２１１９）。
【０１２８】
ステップＳ２１２０では、画像メモリ１００３に格納された３枚の原稿画像をプリンタ２によってＡ４サイズの出力用紙にプリントアウトし、コピーを終了する（Ｓ２１２１）。
【０１２９】
図２５は、本実施の形態により３枚の原稿を１枚の出力用紙にプリントアウト（縮小レイアウト）した図である。
実施の形態２
次に、第２の実施の形態として、自動回転縮小レイアウトについて説明する。
【０１３０】
なお、本実施の形態に係る画像複写装置の構造及び制御回路などの構成も、上記実施の形態に係る画像複写装置と同様であるため、ここでは、それらの説明を省略する。
【０１３１】
図２６は、本実施の形態に係る画像複写装置におけるコントロールユニット１３内のＣＰＵ２２での、自動レイアウト時の動作を示すフローチャートである。同図は、操作部２０により自動回転縮小レイアウトのコピーモード設定後のフローである。
【０１３２】
本実施の形態では、１枚目の原稿サイズＡ３、２枚目の原稿サイズＡ４の計２枚の原稿を出力用紙Ａ３サイズの１枚の出力用紙に縮小し、プリントアウト（縮小レイアウト）を行う動作例について説明する。
【０１３３】
まず操作部２０により出力用紙サイズＡ３をセットする（ステップＳ３１０１）。次に、図示しない原稿給紙装置にセットされた原稿の枚数２枚をカウントし（Ｓ３１０２）、原稿の大きさがコントロールユニット１３内のＣＰＵ２２によって検出される。
【０１３４】
１枚目の原稿サイズがＡ３、２枚目の原稿サイズがＡ３と検出された原稿サイズは、ＲＡＭ２４に記憶される（Ｓ３１０３）。また原稿サイズ情報は、図１に示す通信ライン５０１を介してビデオインターフェース２０１にも送られる。ここでは、上述した図１３のステップのステップＳ３での処理のように、原稿サイズの情報は読み取り領域として出力される。
【０１３５】
続いて、ステップＳ３１０４でコントロールユニット１３内のＣＰＵ２２によって、ＲＡＭ２４に記憶された原稿枚数及び原稿サイズよりレイアウトを決定する。決定されたレイアウトはＲＡＭ２４に記憶される。
【０１３６】
レイアウトは予め複数パターン決められており、図３６〜図３８に、その中のいくつかのレイアウト例を示す。
【０１３７】
図３６は、Ａ３原稿２枚をＡ３用紙１枚にレイアウトする際の例である。図３７はＡ４原稿８枚をＡ４用紙１枚にレイアウトする際の例、図３８はＡ４原稿９枚をＡ４用紙１枚にレイアウトする際の例である。
【０１３８】
さて次に、原稿給紙装置にセットされた原稿を給紙し、１枚目の原稿をプラテン４上にセットする（Ｓ３１０５）。
【０１３９】
次に、画像メモリ１００３上に１枚目の原稿を格納するための座標アドレスセットする。具体的には、Ｈ方向のスタートプリセットアドレス４６９３番地、Ｖ方向のスタートプリセットアドレスを０番地をセットする（Ｓ３１０６）。次に、縮小倍率７０％をセットし（Ｓ３１０７）、回転方向９０°をセットし（Ｓ３１０８）、原稿をスキャンして画像メモリ１００３に１枚目の原稿を格納する（Ｓ３１０９）。
【０１４０】
続いて、原稿給紙装置により２枚目の原稿をプラテン４上にセットする（Ｓ３１１０）。次に、画像メモリ１００３上に２枚目の原稿を格納するための座標アドレスセットする。具体的には、Ｈ方向のスタートプリセットアドレス４６９３番地、Ｖ方向のスタートプリセットアドレスを３３０７番地をセットする（Ｓ３１１１）。次に、縮小倍率７０％をセットし（Ｓ３１１２）、回転方向９０°をセットし（Ｓ３１１３）、原稿をスキャンして画像メモリ１００３に２枚目の原稿を格納する（Ｓ３１１４）。
【０１４１】
最後に、ステップＳ３１３０で画像メモリ１００３に格納された２枚の原稿をＡ３サイズの出力用紙にプリントアウトし、コピーを終了する（Ｓ３１１５）。
【０１４２】
図２７は、本実施の形態により２枚の原稿を１枚の出力用紙にプリントアウト（縮小レイアウト）した図である。
実施の形態３
次に、第３の実施の形態として、マーカーによる領域指定によるレイアウトについて説明する。
【０１４３】
なお、本実施の形態に係る画像複写装置の構造及び制御回路などの構成も、上記実施の形態に係る画像複写装置と同様であり、また領域指定手段のマーカー処理については、既存技術であるため、それらの説明は省略する。
【０１４４】
図２８〜３０は、本実施の形態に係る画像複写装置におけるコントロールユニット１３内のＣＰＵ２２での、マーカーによる領域指定によるレイアウトの動作を示すフローチャートである。同図は、操作部２０によりＣＰＵ２２での、マーカーによる領域指定によるレイアウトの動作を示すフローである。
【０１４５】
本実施の形態では、４枚目の原稿のそれぞれマーカーによって領域指定された領域内の画像のみ画像メモリ１００３に格納する（トリミング）レイアウトの動作例を説明する。
【０１４６】
まず、操作部２０から出力用紙サイズＡ４をセットする（ステップＳ４１０１）。セットされた出力用紙サイズをＲＡＭ２４に記憶する（ステップＳ４１０２）。
【０１４７】
次に、操作部２０により入力原稿枚数４枚をセットする（ステップＳ４１０３）。セットされた入力原稿枚数をＲＡＭ２４に記憶する（ステップＳ４１０４）。
【０１４８】
続いて、ステップＳ４１０５でコントロールユニット１３内のＣＰＵ２２によって、ＲＡＭ２４に記憶された原稿枚数および原稿サイズよりレイアウトを決定する。決定されたレイアウトはＲＡＭ２４に記憶される。次に、マーカー領域指定された１枚目の原稿をプラテン４上にセットする（ステップＳ４１０６）。もちろん、予め１枚目の原稿をプラテン４上にセットしておいてもよい。
【０１４９】
次に、プラテン４上の１枚目の原稿をスキャンし（Ｓ４１０７）、マーカーにより指示された領域内の画像情報は、図１に示す通信ライン５０１を介してビデオインターフェース２０１にも送られる。ここでは、上述した図１３のステップのステップＳ３での処理のように、マーカーに指定された領域情報は読み取り領域として出力される。
【０１５０】
次に、画像メモリ１００３上に１枚目の原稿を格納するための座標アドレスセットする。具体的には、Ｈ方向のスタートプリセットアドレス２３４６番地、Ｖ方向のスタートプリセットアドレス０番地をセットする（Ｓ４１０８）。次に、縮小倍率５０％をセットし（Ｓ４１０９）、回転方向０°をセットし（Ｓ４１１０）、原稿をスキャンして画像メモリに１枚目の原稿を格納する（Ｓ４１１１）。
【０１５１】
続いて、不図示の原稿給紙装置により２枚目の原稿をプラテン４上にセットする（Ｓ４１１２）。次に、画像メモリ１００３上に２枚目の原稿画像を格納するための座標アドレスセットする。具体的には、Ｈ方向のスタートプリセットアドレス２３６５番地、Ｖ方向のスタートプリセットアドレスを１６５３番地をセットする（Ｓ４１１３）。次に、縮小倍率５０％をセットし（Ｓ４１１４）、回転方向０°をセットし（Ｓ４１１５）、原稿をスキャンして画像メモリ１００３に２枚目の原稿画像を格納する（Ｓ４１１６）。
【０１５２】
続いて、原稿給紙装置により３枚目の原稿をプラテン上にセットする（Ｓ４１１７）。次に、画像メモリ１００３上に３枚目の原稿画像を格納するための座標アドレスセットする。具体的には、Ｈ方向のスタートプリセットアドレス０番地、Ｖ方向のスタートプリセットアドレス０番地をセットする（Ｓ４１１８）。次に、縮小倍率５０％をセットし（Ｓ４１１９）、回転方向０°をセットし（Ｓ４１２０）、原稿をスキャンして画像メモリ１００３に３枚目の原稿画像を格納する（Ｓ４１２１）。
【０１５３】
最後に、ステップＳ４１２２で画像メモリ１００３に格納された３枚の原稿をＡ４サイズの出力用紙にプリントアウトし、コピーを終了する（Ｓ４１２３）。
【０１５４】
図２５は、本実施の形態により３枚の原稿を１枚の出力用紙にプリントアウト（縮小レイアウト）した図である。
【０１５５】
このように、原稿サイズが異なる複数枚の原稿を出力用紙サイズに応じた画像メモリ上にレイアウトし、プリントアウトすることが可能となる。
【０１５６】
なお、図３９に示すように、変倍回路１１７で縮小した画像を画像記憶装置３へ送り、回転、合成して、前述と同様な出力を得るようにすることもできる。
実施の形態４
図４０は実施の形態４を示す画像形成装置の構成を説明するための概略断面図である。
【０１５７】
図において、原稿給送装置３００１上にフェースアップで積載された原稿は、最終頁から１枚づつ順次、原稿台ガラス面３００２上に搬送される。原稿が搬送されると、スキャナ３００３のランプが点灯し、スキャナユニット３００４が移動して原稿を照射する。原稿の反射光は、ミラー３００５から３００７を介してレンズ３００８を通過してイメージセンサ部３００９に入力される。イメージセンサ部３００９に入力された画像は、後述する図４１に示すＣＰＵ回路部３０２７により制御される信号により処理され、直接露光制御部３０１０に入力され、あるいは一旦図示しない画像メモリに記憶されて、再び読み出された後、露光制御部３０１０に入力される。そして、露光制御部３０１０で光信号に変換され、画像信号に従って変調されて、感光体３０１１を照射する。この照射によって感光体３０１１上に作られた潜像は現像器３０１２で現像される。上記現像タイミングに合わせて、非転写紙積載部３０１４あるいは３０１５より、転写紙が搬送され、転写部３０１６にて上記現像されたトナー像が転写される。そして、転写されたトナー像は、定着部３０１７にて転写紙に定着された後、排紙部３０１８より装置外部に排出される。
【０１５８】
図４１は図４０に示した画像形成装置の制御構成を説明するためのブロック図である。図において画像読み取り部３０２１は、原稿画像の反射光を入力する光学系、光学系からの反射光をアナログ信号に変換するＣＣＤおよびＣＣＤから受け取ったアナログ信号をデジタル信号に変換するＡ／Ｄコンバータなどから構成され、原稿画像を読み取り、画像処理部３０２２に送出する。
【０１５９】
画像処理部３０２２はシェーディング補正回路、光色濃度変換回路、および、ユーザの指示に基づいて画像の変倍、移動、装飾などの編集を行う画像編集回路などから構成され、画像読み取り部３０２１より入力された画像を補正しおよび編集し、画像データセレクタ３０２３を通り画像記録部３０２４あるいは画像記憶用の画像メモリ部３０２５に送られる。
【０１６０】
画像データセレクタ３０２３は、画像処理部３０２２より入力されたデータを画像記録部３０２４へ送るパスと、画像メモリ３０２５へ送るパスと、画像メモリ３０２５から読み出されたデータを画像記録部３０２４に送るパスをＣＰＵ回路部の指示により切り換える切り換え回路部と、画像処理部３０２２から送られた画像データと画像メモリから読み出される画像データを合成する合成回路部などから構成されている。
【０１６１】
画像記録部３０２４は、画像データセレクタ部３０２３より送られた画像データの濃度信号に基づいて記録紙に画像を転写する。
【０１６２】
画像メモリ部３０２５は、画像データセレクタ部３０２３より送られた画像データをＣＰＵ回路部の指示により、画像メモリの指定位置に、後述する方法で記憶、および、読み出しを行い画像の回転処理、画像をメモリ上で合成する合成処理等を行っている。
【０１６３】
ＣＰＵ回路部３０２７は本装置全体を制御するもので、制御プログラム、エラー処理プログラム等を記憶するＲＯＭと各種のプログラムのワークエリア等のために使用されるＲＡＭと、各種タイマー制御部などから構成される。
【０１６４】
操作部３０２６は、画像処理部３０２２に対する画像編集内容、コピー枚数などの画像形成動作を指示する各種キー群と、操作時の内容を表示する表示部などを有している。
【０１６５】
図４２は、本実施の形態の画像形成装置の操作部の詳細を示したものである。図示のように、この操作面には、各種のキーと、液晶表示装置等からなるドットマトリックスで構成される表示部３１３８とが配置されている。
【０１６６】
液晶表示部３１３８は装置の状態、コピー枚数、倍率、選択用紙および各種操作画面を表示し、コントロールキー３１３１〜３１３５等により操作される。
【０１６７】
また、スタートキー３１０３は、コピーを開始させるキーであり、復帰キー３１０２は設定モードを標準状態に復帰させるためのキーである。またキー群３１０５はコピー枚数、ズーム変倍等を入力する０から９までのテンキーとその入力をクリアするクリアキーである。濃度キー３１０７は濃度をアップダウンするキーであり、これにより調整される濃度は表示部３１４１に表示される。キー３１３７は自動濃度調整機能をＯＮ／ＯＦＦするキーとその表示部であり、キー３１０６は給紙段およびオート用紙選択機能を選択するキーで、この選択状態は液晶表示部３１３８に表示される。
【０１６８】
キー３１０８、キー３１１０は、それぞれ、等倍、定形縮小／拡大を指定するキーである。また、キー３１１８と表示部３１１７はオート倍率モードを設定するためのキーとその表示部である。またこの設定状況は液晶表示部３１３８にも表示される。
【０１６９】
縮小レイアウトキー３１２０は、複数枚の原稿を１枚に合成して出力させるためのコピーモードを設定させるキーで、設定手順は液晶表示部３１３８および表示部３１１９に表示される。
【０１７０】
図４３は、画像メモリ部３０２５における画像データの記憶方法および読み出し方法について示し、図にしたがって説明する。この実施の形態での画像サイズは、（１）に示すように、Ａ４サイズ分のメモリで、右上角に（０，０）アドレスを有し、４６６２×３２９８ビットの記憶容量を有する。まず、（２），（３）を参照して原稿画像を画像メモリ３０２５に記憶する方法を説明する。
【０１７１】
（２）では原稿ガラス面３００２上に置かれたＡ４原稿を画像メモリ３０２５に記憶する場合の例を示したものである。（２ａ）のように原稿の短辺が手前に置かれた原稿の読み取りは、図に示す実線の矢印方向の読み取りが点線の矢印方向へ順次行われることによりなされる。まず、１ライン目が読み込まれると、（２ｂ）に示すように（０，０）アドレスをスタート位置にし、ＣＰＵ３０２７内のＸ方向のカウンタをアップ、ＣＰＵ３０２７内のＹ方向のカウンタをアップに指定して、まず１ライン目が読み込まれると、Ｙ方向のカウンタがアップされ、（０，４６６２）アドレスまで順に書き込まれる。次に２ライン目が読み込まれると、Ｘ方向のカウンタがアップされ（１，０）アドレスから（１，４６６２）アドレスまで順次書き込まれる。このように原稿からの読み込み、メモリ３０２５への書き込みを繰り返し（３２９８，４６６２）アドレスまで書き込まれる。
【０１７２】
また、（３）では原稿ガラス面３００２上に横向きに置かれたＡ４原稿を画像メモリ３０２５に記憶する場合の例を示したものである。（３ａ）のように原稿の長辺が手前に置かれた原稿野読み取りは、図に示す実線の矢印方向の読み取りが点線の矢印方向へ順次行われることによりなされる。まず、１ライン目が読み込まれると、メモリには（３ｂ）に示すように（３２９８，０）アドレスをスタート位置にし、Ｘ方向のカウンタをダウン、Ｙ方向のカウンタをアップに指定して、まず１ライン目が読み込まれると、Ｘ方向のカウンタがダウンされ、（０，０）アドレスの方向の順に書き込まれ、次に２ライン目が読み込まれると、Ｙ方向のカウンタがアップされ（３２９７，１）アドレスから（０，１）アドレスまで順次書き込まれる。このように順次読み込み、書き込みを繰り返し（０，４６６２）アドレスまで書き込まれる。
【０１７３】
（２），（３）の方法でメモリに書き込まれた画像データを読み出す処理を（４），（５）を参照して説明する。
【０１７４】
（４）では図のように記憶されたデータは、まず１ライン目は（３２９７，０）アドレスをスタート位置にし、ＣＰＵ３０２７内のＸ方向のカウンタをダウン、ＣＰＵ３０２７内のＹ方向のカウンタをアップに指定して、（０，０）のＸ方向にＸカウンタを順にダウンしながら読み出す。次にＹカウンタをアップさせ、２ライン目の読み出しが行われ（３２９７，１）アドレスから、（０，１）方向に読み出し、順次このように読み出すことにより、（４ｂ）のように画像を出力することができる。
【０１７５】
また、（５）では図のように記憶されたデータは、まず１ライン目は（０，０）アドレスをスタート位置にし、Ｘ方向のカウンタをアップ、Ｙ方向のカウンタをアップに指定して、（０，４６６２）方向にＹカウンタをアップさせながら順に読み出し、次にＸカウンタをアップさせ、（１，０）アドレスから（１，４６６２）まで読み出す。順次このように読み出すことにより、（５ｂ）のように画像を出力することができる。
【０１７６】
したがって、（２ａ）に示すＡ４縦の原稿を（２）の方法で画像メモリ３０２５に記憶し、（４）の方法で画像メモリ３０２５から読み出しを行うと画像を回転することができ、（５）の方法で画像メモリ３０２５から読み出しを行うと画像を回転せずに読み出すことができる。また、（３ａ）に示すＡ４横の原稿を（３）の方法で画像メモリ３０２５に記憶し、（４）の方法で画像メモリ３０２５から読み出しを行うと画像を回転せずに読み出すことができ、（５）の方法で画像メモリ３０２５から読み出しを行うと画像を回転することができる。
【０１７７】
縮小レイアウトモードを設定する処理を図４４に従って説明する。縮小レイアウトキー３１２０が押されると、液晶表示部３１３８に図４４（１）に示す原稿サイズ入力画面が表示される。コントロールキー３１３１〜３１３５によりカーソルを所望の原稿サイズの表示のところへ移動させ、ＯＫキー３１３１により確定させる。設定終了後、液晶表示部３１３８に図４４（２）に示すレイアウトの種類の設定、原稿の枚数の設定を行う画面を表示する。コントロールキー３１３１〜３１３５とＯＫキー３１３１により所望のレイアウトを設定し、原稿の枚数を設定する。続いて、設定終了後、液晶表示部３１３８に図４４（３）に示す出力用紙の設定を行う画面を表示する。コントロールキー３１３１〜３１３５により所望の出力用紙を設定する。以上の設定はＣＰＵ回路部３０２７の制御で行われ、ＣＰＵ回路部３０２７内のＲＡＭに設定される。
【０１７８】
次に、縮小レイアウトの時コピー処理について図４５を用いて説明する。Ｓ６７０１では原稿の枚数Ｎを確定する。操作部３０２６から原稿枚数が設定されると、設定されている原稿枚数を変数Ｎに代入する。また原稿枚数をオートで判定するモードが設定されている場合には、原稿給送装置１により原稿を空送りして原稿枚数をカウントし、カウントした結果を変数Ｎに代入する。また、原稿給送装置１にセンサを設け、原稿を空送りしたときにセンサにより原稿のサイズおよび向きを検出するようにしてもよい。
【０１７９】
Ｓ６７０２では前述した設定処理に基づいて、所定のデータの設定を行う。ここでは、縮小レイアウトのレイアウト枚数（Ｌ）、用紙の横方向の長さを（Ｐｘ）、用紙の縦方向の長さ（Ｐｙ）、ＰｘとＰｙより用紙の長手方向のサイズ（Ｐｌｏｎｇ）、用紙の短手方向の長さ（Ｐｓｈｏｒｔ）、原稿の横方向の長さ（Ｏｘ）、原稿の縦方向の長さ（Ｏｙ）をそれぞれ代入する。
【０１８０】
次にＳ６７０３では、変倍率（Ｍｘ，Ｍｙ）の設定を図４６を用いて説明する。
【０１８１】
Ｓ６８０１では、まず、オート変倍モードが設定されているかの判断を行う。オート変倍モードの場合はＳ６８０２に進み、オート変倍モードでない場合はＳ６８１１に進む。Ｓ６８１１では操作部３０２６で設定されている横方向の倍率と縦方向の倍率をそれぞれＭｘとＭｙに入力し、この処理を終了する。
【０１８２】
Ｓ６８０２では、縮小レイアウトのレイアウトが２レイアウトか判断し、２レイアウトの場合はＳ６８０３に進み、２レイアウトでない場合はＳ６８０６で４レイアウトか判断し４レイアウトの場合はＳ６８０７に進む。
【０１８３】
Ｓ６８０３では、原稿のサイズ縦横の長さＯｘとＯｙを比較し、Ｏｘが長い場合、すなわち、横長の原稿の場合（図４９の（２））Ｓ６８０５で、横方向の倍率Ｍｘと縦方向の倍率Ｍｙはそれぞれ、次式で計算される。
【０１８４】
Ｍｘ＝（１００×Ｐｓｈｏｒｔ）／Ｏｘ
Ｍｙ＝（１００×Ｐｌｏｎｇ）／（２×Ｏｙ）
また、原稿のサイズ縦横の長さＯｘとＯｙを比較し、Ｏｙが長い場合、すなわち、縦長の原稿の場合（図４９の（１））Ｓ６８０４で、横方向の倍率Ｍｘと縦方向の倍率Ｍｙはそれぞれ、次式で計算される。
【０１８５】
Ｍｘ＝（１００×Ｐｌｏｎｇ）／（２×Ｏｘ）
Ｍｙ＝（１００×Ｐｓｈｏｒｔ）／Ｏｙ
横方向の倍率Ｍｘ、縦方向の倍率Ｍｙの計算後、Ｓ６８１０に進み、ＭｘとＭｙを比較し、小さい方の倍率を選択し、終了する。
【０１８６】
Ｓ６８０７では、原稿のサイズ縦横の長さＯｘとＯｙを比較し、Ｏｘが長い場合、すなわち、横長の原稿の場合（図４９の（４））Ｓ６８０９で、横方向の倍率Ｍｘと縦方向の倍率Ｍｙはそれぞれ、次式で計算される。
【０１８７】
Ｍｘ＝（１００×Ｐｌｏｎｇ）／（２×Ｏｘ）
Ｍｙ＝（１００×Ｐｓｈｏｒｔ）／（２×Ｏｙ）
また、原稿のサイス縦横の長さＯｘとＯｙを比較し、Ｏｙが長い場合、すなわち、縦長の原稿の場合（図４９の（３））Ｓ６８０８で、横方向の倍率Ｍｘと縦方向の倍率Ｍｙはそれぞれ、次式で計算される。
【０１８８】
Ｍｘ＝（１００×Ｐｓｈｏｒｔ）／（２×Ｏｘ）
Ｍｙ＝（１００×Ｐｌｏｎｇ）／（２×Ｏｙ）
横方向の倍率Ｍｘ、縦方向の倍率Ｍｙを計算後、Ｓ６８１０に進み、ＭｘとＭｙを比較し、小さい方の倍率を選択し終了する。終了後、Ｓ６７０４の処理に戻る。
【０１８９】
Ｓ６７０４ではレイアウト数Ｌと変数Ｎから原稿の配置位置ｎを計算する。変数Ｎをレイアウト数Ｌで割った余りが０のとき、つまりＮ％Ｌ＝０のとき、ｎ＝Ｌとし、Ｎ％Ｌ≠０のとき、ｎ＝Ｎ％Ｌとする。図５０に示したような原稿の配置位置になる。ここで％は商の余りを求める演算子である。
【０１９０】
Ｓ６７０５，Ｓ６７０６では、レイアウト数Ｌを比較し、Ｌ＝２、すなわち２レイアウトの場合、Ａに進み、また、Ｌ＝４、すなわち４レイアウトの場合、Ｂに進む。
【０１９１】
２レイアウトの場合の処理、すなわちルーチンＡについて、図４７を参照して説明する。
【０１９２】
Ｓ６９０１では、原稿のサイズ縦横の長さＯｘとＯｙを比較し、Ｏｘが長い場合、すなわち、図４９（２）の左図のように横長の原稿の場合、Ｓ６９０６の処理に進む。また、Ｏｙが長い場合、すなわち図４９（１）の左図のように縦長原稿の場合、Ｓ６９０２の処理へ進む。
【０１９３】
Ｓ６９０２では、画像メモリ３０２５へ書き込む際にアドレス指定するためのＸカウンタをアップカウント、Ｙカウンタをダウンカウントするように指定する。
【０１９４】
Ｓ６９０３では、Ｓ６７０４で求めた原稿配置位置ｎにより、配置位置を判断し、ｎ＝１の時、Ｓ６９０４で図４９（１）のｎ＝１の“Ａ”の画像の書き込み開始位置を式Ｓｘ＝０，Ｓｙ＝１／２  Ｐｌｏｎｇに従い指定する。また、ｎ＝２の時にはＳ６９０５で図４９（１）のｎ＝２の“Ｂ”の画像の書き込み開始位置を式（（Ｓｘ＝０，Ｓｙ＝Ｐｌｏｎｇ）に従い指定する。そして、Ｓ６７０７へ進む。
【０１９５】
Ｓ６９０６では、Ｘカウンタをアップカウント、Ｙカウンタをアップカウントするように指定する。
【０１９６】
Ｓ６９０７では、Ｓ６７０４で求めた原稿配置位置ｎにより、配置位置を判断し、ｎ＝１の時、Ｓ６９０８で図４９（２）のｎ＝１の“Ａ”の画像の書き込み開始位置を式Ｓｘ＝０，Ｓｙ＝０に従い指定する。また、ｎ＝２の時にはＳ６９０９で図４９（２）のｎ＝２の“Ｂ”の画像の書き込み開始位置を式Ｓｘ＝０，Ｓｙ＝１／２  Ｐｌｏｎｇに従い指定する。そしてＳ６７０７に進む。
【０１９７】
４レイアウトの場合の処理、すなわちルーチンＢについて、図４８を用いて説明する。
【０１９８】
Ｓ６００１では、原稿のサイズ縦横の長さＯｘとＯｙを比較し、Ｏｘが長い場合、すなわち、図４９（４）の左図のように横長の原稿の場合、Ｓ６０１０の処理に進む。また、Ｏｙが長い場合、すなわち図４９（３）の左図のように縦長原稿の場合、Ｓ６００２の処理へ進む。
【０１９９】
Ｓ６００２では、原稿メモリ３０２５へ書き込む際にアドレス指定するためのＸカウンタをアップカウント、Ｙカウンタをアップカウントするように指定する。
【０２００】
Ｓ６００３では、Ｓ６７０４で求めた原稿配置位置ｎにより、配置位置を判断し、ｎ＝１の時、Ｓ６００４で図４９（３）のｎ＝１の“Ａ”の画像の書き込み開始位置を式Ｓｘ＝０，Ｓｙ＝０に従い指定し、Ｓ６７０７へ進む。またｎ＝１でない時、Ｓ６００５に進む。
【０２０１】
Ｓ６００５では、Ｓ６７０４で求めた原稿配置位置ｎにより、配置位置を判断し、ｎ＝２の時、Ｓ６００６で図４９（３）のｎ＝２の“Ｂ”の画像の書き込み開始位置を式Ｓｘ＝１／２  Ｐｓｈｏｒｔ，Ｓｙ＝０に従い指定し、Ｓ６７０７へ進む。またｎ＝２でない時、Ｓ６００７に進む。
【０２０２】
Ｓ６００７では、Ｓ６７０４で求めた原稿配置位置ｎにより、配置位置を判断し、ｎ＝３の時、Ｓ６００６で図４９（３）のｎ＝３の“Ｃ”の画像の書き込み開始位置を式Ｓｘ＝０，Ｓｙ＝１／２  Ｐｌｏｎｇに従い指定し、Ｓ６７０７へ進む。またｎ＝３でない時、Ｓ６００９に進む。
【０２０３】
Ｓ６００９では、図４９（３）のｎ＝４の“Ｄ”の画像の書き込み開始位置を式Ｓｘ＝１／２  Ｐｓｈｏｒｔ，Ｓｙ＝１／２  Ｐｌｏｎｇに従い指定し、Ｓ６７０７へ進む。
【０２０４】
Ｓ６０１０では、Ｘカウンタをアップカウント、Ｙカウンタをダウンカウントするように指定する。
【０２０５】
Ｓ６０１１では、Ｓ６７０４で求めた原稿配置位置ｎにより、配置位置を判断し、ｎ＝１の時、Ｓ６０１２で図４９（４）のｎ＝１の“Ａ”の画像の書き込み開始位置を式Ｓｘ＝Ｐｓｈｏｒｔ，Ｓｙ＝０に従い指定し、Ｓ６７０７へ進む。またｎ＝１でない時、Ｓ６０１３に進む。
【０２０６】
Ｓ６０１３では、Ｓ６７０４で求めた原稿配置位置ｎにより、配置位置を判断し、ｎ＝２の時、Ｓ６０１４で図４９（４）のｎ＝２の“Ｂ”の画像の書き込み開始位置を式Ｓｘ＝Ｐｓｈｏｒｔ，Ｓｙ＝１／２  Ｐｌｏｎｇに従い指定し、Ｓ６７０７へ進む。またｎ＝２でない時、Ｓ６０１５に進む。
【０２０７】
Ｓ６０１５では、Ｓ６７０４で求めた原稿配置位置ｎにより、配置位置を判断し、ｎ＝３の時、Ｓ６０１６で図４９（４）のｎ＝３の“Ｃ”の画像の書き込み開始位置を式Ｓｘ＝１／２  Ｐｓｈｏｒｔ，Ｓｙ＝０に従い指定し、Ｓ６７０７へ進む。またｎ＝３でない時、Ｓ６０１７に進む。
【０２０８】
Ｓ６０１７では、図４９（４）のｎ＝４の“Ｄ”の画像の書き込み開始位置を式Ｓｘ＝１／２  Ｐｓｈｏｒｔ，Ｓｙ＝１／２  Ｐｌｏｎｇに従い指定し、Ｓ６７０７へ進む。
【０２０９】
Ｓ６７０７では原稿自動給送装置１上に置かれた原稿を１枚原稿台ガラス３００２面上に給紙する。続いてＳ６７０８では、操作部３０２６で指定された内容、および、前述した処理で設定された変倍率、画像メモリ３０２５の書き込み開始アドレスなどの設定に従って原稿画像読み込みが行われ、画像メモリ部３０２５に記憶される。
【０２１０】
Ｓ６７０９では、原稿の変数Ｎと原稿配置位置ｎをそれぞれ式ｎ＝ｎ−１，Ｎ＝Ｎ−１に従って計算する。続いてＳ６７１０では原稿配置位置ｎがｎ＝０か判断し、０でない場合にはＳ６７０５〜Ｓ６７０９の前述した処理を繰り返す。またｎ＝０の場合には、Ｓ６７１１に進み画像メモリ３０２５に記憶された画像のプリントを行う。画像メモリ３０２５に記憶されている画像を出力用紙の向きに応じて、図４３の（４），（５）のように画像を回転または回転せずに読み出し、露光、現像を行い、転写紙上に転写、定着を行う。続いてＳ６７１２では操作部３０２６で指定された、プリント部数が終了したか判断し、終了していない場合には、Ｓ６７１１のプリント動作を繰り返し行う。また、プリント部数が終了した場合には、Ｓ６７１３で原稿の変数ＮがＮ＝０か判断し、０でない場合には前述したＳ６７０４〜Ｓ６７１２の処理を繰り返し行い、０の場合、すなわちすべての原稿のコピーを終えた場合には処理を終了する。
【０２１１】
図５０は上述した処理によってプリントされた結果を示す図である。
【０２１２】
【発明の効果】
以上説明したとおり請求項１〜７、１０に係る本発明によれば、原稿サイズが異なる複数の原稿を１枚のシートの同一面上にレイアウトさせることが出来ると共に、複数の原稿の中に、あるサイズの原稿と、それよりも大きい別のサイズの原稿が含まれている場合に、サイズの大きい原稿の画像をサイズの小さい原稿のサイズにあわせて分割したレイアウトを行うか否かを制御することができる。
さらに、請求項８、９に係る発明によれば、原稿サイズが異なる複数の原稿を１枚のシートの同一面上にレイアウトさせることが出来ると共に、複数の原稿の中に、縦向きで使用される種類の原稿と横向きで使用される種類の原稿が含まれている場合に、何れか一方の種類の原稿の画像を他方の種類の原稿サイズに応じたサイズに分割したレイアウトを行うか否かを制御することができる。
【図面の簡単な説明】
【図１】本発明の一実施の形態に係る画像複写装置の概略内部構成の一例を示す図である。
【図２】本発明の一実施の形態に係る画像複写装置の概略内部構成の一例を示す図である。
【図３】本実施の形態に係る画像複写装置の原稿走査ユニット、ビデオ処理ユニットの内部構成を示すブロック図である。
【図４】本実施の形態に係るビデオインターフェースの機能を説明する図である。
【図５】本実施の形態に係るビデオインターフェースの機能を説明する図である。
【図６】本実施の形態に係る装置における色補正方法を説明するための図である。
【図７】本実施の形態に係る装置における色補正方法を説明するための図である。
【図８】本実施の形態に係る画像複写装置におけるＹ，Ｍ，Ｃ，Ｂｋの入出力特性を示す図である。
【図９】本実施の形態に係る繰り返し回路の詳細構成を示すブロック図である。
【図１０】本実施の形態に係る繰り返し回路の出力例を示す図である。
【図１１】本実施の形態に係る画像複写装置におけるプリント時のタイミングチャートである。
【図１２】本実施の形態における画像記憶時のタイミングチャートである。
【図１３】本実施の形態に係る画像複写装置のＣＰＵ２２における読み取り動作を説明するフローチャートである。
【図１４】本実施の形態に係る画像複写装置の画像記憶装置３の構成を示す詳細回路図である。
【図１５】本実施の形態に係る画像複写装置を構成するプラテンガラス上に、Ａ４サイズの原稿が載置された例を示す図である。
【図１６】本実施の形態におけるビデオ処理ユニット１２からの制御信号と画像信号とに対応する信号のタイミングチャートである。
【図１７】本実施の形態におけるメモリ１００３のアドレス空間を示す図である。
【図１８】本実施の形態に係る画像複写装置のＣＰＵ１０１７による画像読み出し動作を説明するフローチャートである。
【図１９】本実施の形態において、メモリ１００３に記憶されている画像情報をＡ４Ｒ用紙に出力する場合の出力例を示す図である。
【図２０】本実施の形態に係る画像複写装置における制御信号のタイミングチャートである。
【図２１】本実施の形態に係る画像複写装置における制御信号のタイミングチャートである。
【図２２】本実施の形態に係る画像複写装置における制御信号のタイミングチャートである。
【図２３】本発明の一実施の形態に係る画像複写装置におけるコントロールユニット内のＣＰＵでの、原稿サイズの異なる複数枚原稿の縮小レイアウト動作を示すフローチャートである。
【図２４】本発明の一実施の形態に係る画像複写装置におけるコントロールユニット内のＣＰＵでの、原稿サイズの異なる複数枚原稿の縮小レイアウト動作を示すフローチャートである。
【図２５】本発明の一実施の形態において、３枚の原稿を１枚の出力用紙にプリントアウト（縮小レイアウト）した図である。
【図２６】その他の実施の形態に係る画像複写装置におけるコントロールユニット内のＣＰＵでの、原稿サイズの異なる複数枚原稿の縮小レイアウト動作を示すフローチャートである。
【図２７】その他の本実施の形態において、２枚の原稿を１枚の出力用紙にプリントアウト（縮小レイアウト）した図である。
【図２８】本発明のその他の実施の形態の動作を示すフローチャートである。
【図２９】本発明のその他の実施の形態の動作を示すフローチャートである。
【図３０】本発明のその他の実施の形態の動作を示すフローチャートである。
【図３１】縮小レイアウトの手順を示したフローチャートである。
【図３２】縮小レイアウトの具体例を示した図である。
【図３３】縮小レイアウトの具体例を示した図である。
【図３４】縮小レイアウトの具体例を示した図である。
【図３５】縮小レイアウトの具体例を示した図である。
【図３６】自動回転縮小レイアウトの具体例を示した図である。
【図３７】自動回転縮小レイアウトの具体例を示した図である。
【図３８】自動回転縮小レイアウトの具体例を示した図である。
【図３９】複写装置のブロック図である。
【図４０】画像形成装置の全体図である。
【図４１】リーダ部１及びプリンタ部２のブロック図である。
【図４２】リーダ部１の操作パネルのブロック図である。
【図４３】画像の回転方法を説明するための図である。
【図４４】縮小レイアウトモードの設定画面のフローチャートである。
【図４５】縮小レイアウトモード設定時のコピーのフローチャートである。
【図４６】縮小レイアウトモード設定時の変倍率の設定のフローチャートである。
【図４７】２ｉｎ１縮小レイアウトモード設定時のメモリ書き込み位置設定のフローチャートである。
【図４８】４ｉｎ１縮小レイアウトモード設定時のメモリ書き込み位置設定のフローチャートである。
【図４９】縮小レイアウト時のメモリへの書き込み方法を説明するための図である。
【図５０】縮小レイアウト時の原稿配置位置を説明するための図である。
【図５１】従来の例を示す図である。
【符号の説明】
１  カラーリーダ
２  カラープリンタ
３  画像記憶装置
４  プラテンガラス
５  ロッドアレイレンズ
６  等倍フルカラーセンサ
７  増幅回路
８  白色板
９  黒色板
１０  ハロゲン露光ランプ
１１  原稿走査ユニット
１２  ビデオ処理ユニット
１３  コントロールユニット
１４  ステッピングモータ
１５  ステッピングモータ駆動回路
１６  デジタイザ
２０  操作部
２１  露光ランプドライバ
２２，１０１７  ＣＰＵ
２３，１０１４  ＲＯＭ
２４，１０１５  ＲＡＭ
２５  Ｉ／Ｏポート
４１  ＣＣＤドライバ
４３  Ｓ／Ｈ
４４  Ａ／Ｄ
４５  ズレ補正回路
４６  黒補正／白補正回路
４７  色変換回路
４８  ＬＯＧ
４９  色補正回路
５６  プリンタインターフェース
５９  黒文字処理回路
７０  パルスジェネレータ
７１  Ｏ．Ｓ．Ｃ
７２  領域発生回路
１１６  濃度変換回路
１１７  変倍回路
１１８  繰り返し回路
１６２  通信コントローラ
２０１  ビデオインターフェース
７１１  スキャナ
７１２  ポリゴンミラー
７１３  ｆ／θレンズ
７１４  反射ミラー
７１５  感光ドラム
７１７  一次帯電器
７１８  全面露光ランプ
７１９  アクチュエータ板
７２０  ポジションセンサ
７２３  クリーナ部
７２４  転写前帯電器
７２５  転写ドラムクリーナ
７２６  現像器ユニット
７２７  紙押えローラ
７２９  転写帯電器
７３０Ｙ，７３０Ｍ，７３０Ｃ，７３０Ｂｋ  トナーホッパー
７３１Ｙ，７３１Ｍ，７３１Ｃ，７３１Ｂｋ  現像スリーブ
７３２  スクリュー
７３５，７３６  カセット
７３９，７４０，７４１  タイミングローラ
７４２  搬送ベルト
７４３  画像定着部
７４４，７４５  熱圧力ローラ
７４６  伝達ギヤ
７４７  モータ
７４８  モータ取り付け部
７４９  紙ガイド
７５０  剥離爪
９９９  原稿
１００１  コネクタ
１００２  セレクタ
１００３  メモリ
１００４，１００５，１００８  インバータ
１００６，１００７  １３ビットカウンタ
１００９，１０１０，１０１１，１０１２  トライステートバッファ
１０１３  通信制御部
１０１６  出力ポート
２００１Ｒ，２００１Ｇ，２００１Ｂ，２００７Ｒ，２００７Ｇ，２００７Ｂ，２０１９Ｒ，２０１９Ｇ，２０１９Ｂ，２０１２〜２０１７  信号線
２０１８  バスライン
【図１】
0003658396.tif 000003
【図２】
0003658396.tif 000004
【図３】
0003658396.tif 000005
【図４】
0003658396.tif 000006
【図５】
0003658396.tif 000007
【図６】
0003658396.tif 000008
【図７】
0003658396.tif 000009
【図８】
0003658396.tif 000010
【図９】
0003658396.tif 000011
【図１０】
0003658396.tif 000012
【図１１】
0003658396.tif 000013
【図１２】
0003658396.tif 000014
【図１３】
0003658396.tif 000015
【図１４】
0003658396.tif 000016
【図１５】
0003658396.tif 000017
【図１６】
0003658396.tif 000018
【図１７】
0003658396.tif 000019
【図１８】
0003658396.tif 000020
【図１９】
0003658396.tif 000021
【図２０】
0003658396.tif 000022
【図２１】
0003658396.tif 000023
【図２２】
0003658396.tif 000024
【図２３】
0003658396.tif 000025
【図２４】
0003658396.tif 000026
【図２５】
0003658396.tif 000027
【図２６】
0003658396.tif 000028
【図２７】
0003658396.tif 000029
【図２８】
0003658396.tif 000030
【図２９】
0003658396.tif 000031
【図３０】
0003658396.tif 000032
【図３１】
0003658396.tif 000033
【図３２】
0003658396.tif 000034
【図３３】
0003658396.tif 000035
【図３４】
0003658396.tif 000036
【図３５】
0003658396.tif 000037
【図３６】
0003658396.tif 000038
【図３７】
0003658396.tif 000039
【図３８】
0003658396.tif 000040
【図３９】
0003658396.tif 000041
【図４０】
0003658396.tif 000042
【図４１】
0003658396.tif 000043
【図４２】
0003658396.tif 000044
【図４３】
0003658396.tif 000045
【図４４】
0003658396.tif 000046
【図４５】
0003658396.tif 000047
【図４６】
0003658396.tif 000048
【図４７】
0003658396.tif 000049
【図４８】
0003658396.tif 000050
【図４９】
0003658396.tif 000051
【図５０】
0003658396.tif 000052
【図５１】
0003658396.tif 000053